(57)【要約】【課題】所定の領域に存在する人数および当該所定の領域の所定の位置を通過する人数を検出して、それぞれの検出手法に対応した表示を行う。【解決手段】撮像手段により得られた画像データに基づいて人数を時間帯別に管理する人数管理装置は、該画像データの所定の領域に存在する人数をカウントする領域人数カウントと、該画像データに設定された所定のラインを通過する人数をカウントする通過人数カウントのいずれかを設定し、該設定に応じて、該画像データから人数カウント結果を作成し、該人数カウント結果を表示部に表示する。人数管理装置は、該領域人数カウントが設定された場合は、該人数カウント結果として静止画を作成し、該通過人数カウントが設定された場合は、該人数カウント結果として動画を作成する。【選択図】図１
2018207175.tif 000002
【特許請求の範囲】
【請求項１】
撮像手段により得られた画像データに基づいて人数を時間帯別に管理する人数管理装置であって、
前記画像データの所定の領域に存在する人数をカウントする領域人数カウントと、前記画像データに設定された所定のラインを通過する人数をカウントする通過人数カウントのいずれかを設定する設定手段と、
前記設定手段による設定に応じて、前記画像データから人数カウント結果を作成する結果作成手段と、
前記人数カウント結果を表示部に表示する表示制御手段と、を有し、
前記結果作成手段は、前記設定手段により前記領域人数カウントが設定された場合は、前記人数カウント結果として静止画を作成し、前記設定手段により前記通過人数カウントが設定された場合は、前記人数カウント結果として動画を作成する
ことを特徴とする人数管理装置。
【請求項２】
前記結果作成手段は、前記画像データにおける人数を検出する検出手段と、前記検出手段により検出された前記人数に対応するグラフを前記時間帯別に作成するグラフ作成手段を有し、
前記設定手段により前記領域人数カウントが設定された場合、前記グラフ作成手段は、前記所定の領域に存在する平均の人数、最大人数、最小人数、またはそれらの組み合わせの人数を前記時間帯別にグラフ化することを特徴とする請求項１に記載の人数管理装置。
【請求項３】
前記設定手段により前記通過人数カウントが設定された場合、前記グラフ作成手段は、前記所定のラインを所定の方向および当該所定の方向と逆方向に通過する時間帯別の人数をグラフ化することを特徴とする請求項２に記載の人数管理装置。
【請求項４】
前記検出手段は、検知した人物の前記画像データにおける座標とサイズを検出し、
前記結果作成手段は更に、前記検出手段により検出された前記人数、前記座標とサイズと、前記グラフ作成手段により作成されたグラフに基づいて、前記人数カウント結果としての前記静止画を作成する画像作成手段を有し、
前記設定手段により前記領域人数カウントが設定された場合、前記グラフ作成手段により作成されたグラフのうちの１つがユーザにより選択されることに応じて、前記画像作成手段は、前記選択されたグラフが存在する時間帯において撮像された前記画像データから、前記検出手段により検出された前記人数、および前記座標とサイズに基づいて求めた前記人物を示す図形、の情報を、前記画像データに重畳した静止画を前記人数カウント結果として作成することを特徴とする請求項２または３に記載の人数管理装置。
【請求項５】
前記設定手段により前記領域人数カウントが設定された場合、前記グラフ作成手段により作成されたグラフのうちの１つがユーザにより選択されることに応じて、前記画像作成手段は、前記選択されたグラフが存在する時間帯において撮像された前記画像データから、前記検出手段により検知された人物を示す静止画を前記人数カウント結果として作成することを特徴とする請求項４に記載の人数管理装置。
【請求項６】
前記検出手段は、検知した人物の前記画像データにおける座標とサイズを検出し、
前記結果作成手段は更に、前記検出手段により検出された前記人数、前記座標とサイズと、前記グラフ作成手段により作成されたグラフに基づいて、前記人数カウント結果としての前記動画を作成する画像作成手段を有し、
前記設定手段により前記通過人数カウントが設定された場合、前記グラフ作成手段により作成されたグラフのうちの１つがユーザにより選択されることに応じて、前記画像作成手段は、前記人数、前記座標とサイズに基づいて求めた前記人物を示す図形、前記所定のラインおよび前記所定の方向、の情報を、前記画像データに重畳した動画を前記人数カウント結果として作成することを特徴とする請求項２または３に記載の人数管理装置。
【請求項７】
撮像手段により得られた画像データに基づいて人数を時間帯別に管理する人数管理装置であって、
前記画像データの所定の領域に存在する人数をカウントする領域人数カウントと、前記画像データに設定された所定のラインを通過する人数をカウントする通過人数カウントのいずれかを設定する設定手段と、
前記設定手段により前記領域人数カウントが設定された場合は、人数カウント結果として静止画を表示し、前記設定手段により前記通過人数カウントが設定された場合は、前記人数カウント結果として動画を表示部に表示する表示制御手段と、
を有することを特徴とする人数管理装置。
【請求項８】
撮像手段により得られた画像データに基づいて人数を時間帯別に管理する人数管理方法であって、
前記画像データの所定の領域に存在する人数をカウントする領域人数カウントと、前記画像データに設定された所定のラインを通過する人数をカウントする通過人数カウントのいずれかを設定する設定工程と、
前記設定工程における設定に応じて、前記画像データから人数カウント結果を作成する結果作成工程と、
前記人数カウント結果を表示部に表示する表示制御工程と、を有し、
前記結果作成工程では、前記設定工程において前記領域人数カウントが設定された場合は、前記人数カウント結果として静止画を作成し、前記設定工程において前記通過人数カウントが設定された場合は、前記人数カウント結果として動画を作成する
ことを特徴とする人数管理方法。
【請求項９】
撮像手段により得られた画像データに基づいて人数を時間帯別に管理する人数管理方法であって、
前記画像データの所定の領域に存在する人数をカウントする領域人数カウントと、前記画像データに設定された所定のラインを通過する人数をカウントする通過人数カウントのいずれかを設定する設定工程と、
前記設定工程において前記領域人数カウントが設定された場合は、人数カウント結果として静止画を表示し、前記設定工程において前記通過人数カウントが設定された場合は、前記人数カウント結果として動画を表示部に表示する表示制御工程と、
を有することを特徴とする人数管理方法。
【請求項１０】
コンピュータを、請求項１から７のいずれか１項に記載の人数管理装置として機能させるためのプログラム。
【発明の詳細な説明】
【技術分野】
【０００１】
本発明は、人数管理装置、人数管理方法およびプログラムに関する。
【背景技術】
【０００２】
近年、監視カメラをあらゆる場所に設置することが進められている。また、最近では、建物内の監視カメラを設置し、監視カメラにより撮像された画像を建物の管理者等が再生して閲覧することにより、セキュリティや販促を目的とした解析を行うための技術の開発が進められている。
【０００３】
例えば、撮像装置により撮像された画像から人物等の特定物の個数を検出し、当該個数に対応する情報を出力する技術が特許文献１に記載されている。また、検出した結果を管理者等に分かりやすく表示する技術が特許文献２に記載されている。具体的には、特許文献２には、所定のエリアへの時間帯別の入場者数のヒストグラムを表示し、当該ヒストグラムの任意の時間帯のグラフが選択されることに応答して、選択された時間帯に撮像装置により撮像された画像を表示するシステムが開示されている。
【先行技術文献】
【特許文献】
【０００４】
【特許文献１】特開２０１４-６５８６号公報
【特許文献２】特開２０１０−１８１９２０号公報
【発明の概要】
【発明が解決しようとする課題】
【０００５】
画像の解析目的によっては、人の動きを考慮して、所定の領域に存在する人数、および、当該所定の領域内の所定の位置を通過する人数を、時間帯別に把握することが必要である。また、カウントした人数を管理者等に分かりやすい態様で提示（表示）することも重要である。しかしながら、上記文献に開示される技術では、このような要求を満たすものではなかった。
【０００６】
本発明は、上記課題に鑑みてなされたものであり、所定の領域に存在する人数および当該所定の領域の所定の位置を通過する人数を検出して、それぞれの検出手法に対応した表示を行うことを目的とする。
【課題を解決するための手段】
【０００７】
上記目的を達成するための一手段として、本発明の人数管理装置は以下の構成を有する。すなわち、撮像手段により得られた画像データに基づいて人数を時間帯別に管理する人数管理装置であって、前記画像データの所定の領域に存在する人数をカウントする領域人数カウントと、前記画像データに設定された所定のラインを通過する人数をカウントする通過人数カウントのいずれかを設定する設定手段と、前記設定手段による設定に応じて、前記画像データから人数カウント結果を作成する結果作成手段と、前記人数カウント結果を表示部に表示する表示制御手段と、を有し、前記結果作成手段は、前記設定手段により前記領域人数カウントが設定された場合は、前記人数カウント結果として静止画を作成し、前記設定手段により前記通過人数カウントが設定された場合は、前記人数カウント結果として動画を作成する。
【発明の効果】
【０００８】
本発明によれば、所定の領域に存在する人数および当該所定の領域の所定の位置を通過する人数を検出して、それぞれの検出手法に対応した表示を行うことが可能となる。
【図面の簡単な説明】
【０００９】
【図１】人数管理装置の機能構成の一例を示す図。
【図２】人数管理装置のハードウェア構成の一例を示す図。
【図３】表示部２０８のメインウィンドウの画像の一例を示す図。
【図４】領域人数カウント中の表示部２０８のメインウィンドウの画像の一例を示す図。
【図５】通過人数カウント中の表示部２０８のメインウィンドウの画像の一例を示す図。
【図６】（ａ）は領域人数カウント時のグラフ設定ダイアログ画像、（ｂ）は通過人数カウント時のグラフ設定ダイアログ画像を示す図。
【図７】領域人数カウントグラフ画像を示す図。
【図８】領域人数カウント結果画像を示す図。
【図９】通過人数カウントグラフ画像を示す図。
【図１０】通過人数カウント結果画像を示す図。
【発明を実施するための形態】
【００１０】
以下、添付の図面を参照して、本発明をその実施形態に基づいて詳細に説明する。なお、以下の実施形態において示す構成は一例に過ぎず、本発明は図示された構成に限定されるものではない。
【００１１】
図１は、本発明の実施形態における人数管理装置１０１の機能構成の一例を示す。人数管理装置１０１は、機能構成として、物体検知部１０２、グラフ作成部１０３、結果画像作成部１０４、画像取得部１０５、ファイル入出力部１０６、表示制御部１０７から構成される。
【００１２】
画像データ１０８は、人数管理装置１０１に接続された撮像手段としてのカメラ（不図示）により撮像されて生成された画像データである。画像データ１０８は、人数管理装置１０１の録画手段としてのＨＤＤ（Hard Disc Drive）２０４（図２）に保存される。なお、画像データ１０８は、動画像または静止画であり得る。画像取得部１０５は、画像データ１０８を取得し、表示制御部１０７、結果画像作成部１０４、物体検知部１０２に出力することができる。物体検知部１０２は、画像データ１０８における人物の数を計測する。物体検知部１０２は、例えば、周知の画像処理技術を利用して人物を特定して検出、検出された人物の数を計測することにより、人数を計測することができる。
【００１３】
結果画像作成部１０４は、画像取得部１０５から受け取った画像データやデータベース１０９からファイル入出力部１０６を介して受け取ったデータから、ユーザに提示するための結果画像（人数カウント結果画像）を作成する。本実施形態では、結果画像作成部１０４は結果画像を作成するように構成されるが、画像以外の結果を作成することも可能である。グラフ作成部１０３は、操作部２０７（図２）を介してユーザより表示部２０８（図２）において設定された情報を表示制御部１０７を介して受け取り、当該情報に基づいてグラフの作成を行う。表示制御部１０７は、表示部２０８（図２）に対する表示制御を行う。例えば、表示制御部１０７は、表示部２０８に対して画像取得部１０５、グラフ作成部１０３、結果画像作成部１０４等から受け取った情報を表示部２０８へ表示し、また、表示部２０８に表示された情報をグラフ作成部１０３、結果画像作成部１０４等に伝達する。ファイル入出力部１０６は、データベース１０９の入出力を行う。
【００１４】
図２は、本発明の実施形態における人数管理装置１０１のハードウェア構成の一例を示す。人数管理装置１０１は、ハードウェア構成として、ＣＰＵ（Central Processing Unit）２０１、ＲＯＭ（Read Only Memory）２０２、ＲＡＭ（Read Only Memory）２０３、ＨＤＤ２０４、ネットワークインターフェース２０５、操作部２０７、表示部２０８から構成される。
【００１５】
ＣＰＵ２０１は、人数管理装置１０１を統括制御する。ＲＯＭ２０２は、ＣＰＵ２０１が人数管理装置１０１を制御するためのプログラム等を記憶する。なお、ＲＯＭ２０２に代えて、２次記憶装置であってもよい。ＲＡＭ２０３は、ＲＯＭ２０２から読み出したプログラムを展開し、処理を実行するためのメモリである。また、ＲＡＭ２０３は、一時記憶メモリとして各種処理の対象となるデータを一時記憶するための記憶領域としても使用される。ＨＤＤ２０４は、データベース１０９を格納する。ネットワークインターフェース２０５は、ネットワーク２０６を介して通信を行い、接続先の画像データ１０８を取得するためのインタフェースである。表示部２０８は、画像取得部１０５、グラフ作成部１０３、結果画像作成部１０４等から受け取った情報を表示するディスプレイ等の画面を有するデバイスである。操作部２０７は、ユーザによる入力操作により用いられ、例えば、マウスやタッチパネルから構成される。
【００１６】
以上のように、人数管理装置１０１のハードウェア構成は、一般的なＰＣ（Personal Computer）に搭載されるハードウェア構成要素と同様のハードウェア構成要素を有している。そのため、人数管理装置１０１で実現される各種機能を、一般的なＰＣ上で動作するソフトウェアとして実装することも可能である。
【００１７】
続いて、人数管理装置１０１の動作について説明する。まず、表示制御部１０７は、画像取得部１０５を介して受け取った画像データ１０８を表示部２０８の画面に表示する。図３は、表示部２０８の画面のメインウィンドウの画像の一例を示す。図３において、メインウィンドウ３０１は、画像表示エリア３０２、領域人数カウントボタン３０３、通過人数カウントボタン３０４、グラフ設定ダイアログ起動ボタン３０５を含んで構成されている。
【００１８】
画像表示エリア３０２には、画像取得部１０５がネットワークインターフェース２０５を介して取得した画像データ１０８の画像が表示される。領域人数カウントボタン３０３は、所定の領域に存在する人数を時間帯別にカウントすることを指示するためのボタンである。通過人数カウントボタン３０４は、所定の領域内の所定の位置を通過する人数を時間帯別にカウントすることを指示するためのボタンである。グラフ設定ダイアログ起動ボタン３０５は、表示部２０８に、グラフを作成・表示するための設定を行うためのグラフ設定ダイアログを表示することを指示するためのボタンである。
【００１９】
以下、ユーザが操作部２０７を介して、領域人数カウントボタン３０３、通過人数カウントボタン３０４、またはグラフ設定ダイアログ起動ボタン３０５をそれぞれ選択した場合の人数管理装置１０１の動作について説明する。
【００２０】
まず、ユーザが操作部２０７を介して領域人数カウントボタン３０３を選択した場合について説明する。なお、領域人数カウントボタン３０３が選択された場合に物体検知部１０２が人数を計測する対象となる画像データ１０８は、動画または静止画である。領域人数カウントボタン３０３が選択されることに応答して、物体検知部１０２は、画像データ１０８における人物の数（人数）を計測する。物体検知部１０２は、画像データ１０８を継続的に取得し、人数を継続的に計測する。物体検知部１０２は更に、人数計測の対象となった画像データ１０８の撮像時刻、計測人数、検知した人物の画像中の座標とサイズ、画像データ１０８、の情報を関連付けて、計測データとしてファイル入出力部１０６へ出力する。ファイル入出力部１０６は、物体検知部１０２から受け取った計測データをデータベース１０９に保存する。なお、データの保存先はデータベース１０９に限定されない。
【００２１】
図４に、領域人数カウントボタン３０３が選択された場合の、物体検知部１０２により人数計測中における表示部２０８の画面のメインウィンドウの画像の一例を示す。表示部２０８の画面のメインウィンドウ４０１には、表示制御部１０７により画像データ１０８が表示される。また、表示制御部１０７は、物体検知部１０２により計測された人数の情報を数４０２のようにメインウィンドウ４０１に表示する。
【００２２】
次に、ユーザが操作部２０７を介して通過人数カウントボタン３０４を選択した場合について説明する。なお、通過人数カウントボタン３０４が選択された場合に物体検知部１０２が人数を計測する対象となる画像データ１０８は、動画である。通過人数カウントボタン３０４が選択されることに応答して、物体検知部１０２は、画像データ１０８の画像中に設定した検知線（通過ライン）を、設定した方向と同方向（正方向）で通過した人数および設定した方向の逆方向（逆方向）で通過した人数を計測する。この検知線と方向は、図６（ｂ）を用いて後述するようにユーザによって設定されたものでもよく、また、人数管理装置１０１に対して所定の条件を与えることにより、ＣＰＵ２０１により設定されてもよい。物体検知部１０２は、正方向で通過した人数をＩｎの人数として計測し、逆方向で通過した人数をＯｕｔの人数として計測する。
【００２３】
物体検知部１０２は、画像データ１０８を継続的に取得し、人数を継続的に計測する。物体検知部１０２は更に、人数計測の対象となった画像データ１０８の撮像時刻、計測人数、検知した人物の画像中の座標とサイズ、設定した検知線、設定した方向（正方向）、画像データ１０８、の情報を関連付けて、計測データとしてファイル入出力部１０６へ出力する。ファイル入出力部１０６は、物体検知部１０２から受け取った計測データをデータベース１０９に保存する。なお、データの保存先はデータベース１０９に限定されない。
【００２４】
図５に、通過人数カウントボタン３０４が選択された場合の、物体検知部１０２により人数計測中における表示部２０８の画面のメインウィンドウの画像の一例を示す。表示部２０８の画面のメインウィンドウ５０１には、表示制御部１０７により画像データ１０８が表示される。また、表示制御部１０７は、検知線５０２と正方向の矢印５０３をメインウィンドウ５０１に表示する。また、表示制御部１０７は、物体検知部１０２により計測されたＩｎの人数とＯｕｔの人数の情報を数５０４のようにメインウィンドウ５０１に表示する。
【００２５】
次に、ユーザが操作部２０７を介してグラフ設定ダイアログ起動ボタン３０５を選択した場合について説明する。グラフ設定ダイアログ起動ボタン３０５が選択されることに応答して、表示制御部１０７は表示部２０８の画面に、グラフを作成・表示するための設定を行うためグラフ設定ダイアログを表示する。
【００２６】
図６（ａ）と図６（ｂ）に、グラフ設定ダイアログの一例を示す。図６（ａ）は、後述する種別設定領域６０３でユーザにより「領域人数カウント」が選択された場合のグラフ設定ダイアログ６０１を示す。また、図６（ｂ）は、種別設定領域６０３でユーザにより「通過人数カウント」が選択された場合のグラフ設定ダイアログ６１１を示す。ユーザが操作部２０７を介してグラフ設定ダイアログ６０１または６１１で種々の設定を完了することに応じて、グラフ作成部１０３がグラフ化処理を行う。
【００２７】
図６（ａ）のグラフ設定ダイアログ６０１は、開始日時／終了日時設定領域６０２、種別設定領域６０３、検索ボタン６０４、検出領域設定領域６０５、集計単位設定領域６０６、および表示／キャンセルボタン６０７から構成される。各ボタン／領域への操作は、操作部２０７を介して行われる。
【００２８】
開始日時／終了日時設定領域６０２は、グラフ作成対象期間を設定する領域であり、ユーザは当該対象期間を、開始日時と終了日時を特定することにより設定する。種別設定領域６０３では、ユーザは「領域人数カウント」または「通過人数カウント」のいずれかを、例えばプルダウンリストから選択可能である。「領域人数カウント」が選択された場合、領域人数カウントボタン３０３が選択されたことに応じて計測された人数に対応するグラフが、グラフ作成部１０３により作成される。「通過人数カウント」が選択された場合、通過人数カウントボタン３０４が選択されたことにより計測された人数に対応するグラフがグラフ作成部１０３により作成される。
【００２９】
ユーザは、開始日時／終了日時設定領域６０２と種別設定領域６０３に対する設定を完了し、検索ボタン６０４を選択すると、ＣＰＵ２０１により開始日時／終了日時設定領域６０２と種別設定領域６０３に対する設定に対応するよう選択された、検出領域設定領域６０５、集計単位設定領域６０６が表示される。検出領域設定領域６０５は、撮影対象の領域を設定する領域であり、ユーザは当該領域を、例えばプルダウンリストから選択可能である。なお、検出領域設定領域６０５として、画像データ１０８を生成した撮像手段を指定できるように構成されてもよい。集計単位設定領域６０６は、グラフ作成の集計単位時間を設定する領域であり、ユーザは当該領域を、例えば例えばプルダウンリストから選択可能である。
【００３０】
集計単位設定領域６０６までの設定が完了し、ユーザにより表示／キャンセルボタン６０７のうち、表示ボタンが選択されることに応じて、グラフ作成部１０３は、設定された情報に基づいてグラフを作成する。そして、グラフが作成されると、表示制御部１０７は後述する図７のような画面を表示部２０８に表示する。設定を修正する場合は、ユーザは、表示／キャンセルボタン６０７のうち、キャンセルボタンを選択し、再度設定を行う。
【００３１】
一方、図６（ｂ）のグラフ設定ダイアログ６１１は、開始日時／終了日時設定領域６１２、種別設定領域６１３、検索ボタン６１４、検知線設定領域６１５、集計単位設定領域６１６、および表示／キャンセルボタン６１７から構成される。各ボタン／領域への操作は、操作部２０７を介して行われる。
【００３２】
開始日時／終了日時設定領域６１２、種別設定領域６１３、検索ボタン６１４、集計単位設定領域６１６、および表示／キャンセルボタン６１７は、それぞれ図６（ａ）の開始日時／終了日時設定領域６０２、種別設定領域６０３、検索ボタン６０４、集計単位設定領域６０６、および表示／キャンセルボタン６０７と同様のため、説明を省略する。検知線設定領域６１５は、図５に示したような検知線５０２と、正方向とする方向を、例えばプルダウンリストから選択する。
【００３３】
集計単位設定領域６１６までの設定が完了し、ユーザにより表示／キャンセルボタン６０７のうち、表示ボタンが選択されることに応じて、グラフ作成部１０３は、設定された情報に基づいてグラフを作成する。そして、グラフが作成されると、表示制御部１０７は後述する図９のような画面を表示部２０８に表示する。設定を修正する場合は、ユーザは、表示／キャンセルボタン６０７のうち、キャンセルボタンを選択し、再度設定を行う。
【００３４】
なお、図６（ａ）と図６（ｂ）に示したグラフ設定ダイアログは一例であり、グラフ作成・表示のための設定ができる構成であれば、他の構成であってもよい。
【００３５】
図７は、図６（ａ）に示したグラフ設定ダイアログ６０１でのユーザの設定に応じてグラフ作成部１０３により作成され、表示制御部１０７より表示部２０８の画面に表示される領域人数カウントグラフ７０１の例である。領域人数カウントグラフ７０１において、縦軸は人数、横軸は時間を表し、ここで横軸に示す時間は、少なくとも図６（ａ）の開始日時／終了日時設定領域６０２において設定された開始日時と終了日時間の期間を含む。棒グラフ７０２は、図６（ａ）の集計単位設定領域６０6で設定された集計単位時間（図７の例では、集計単位時間は４分とする）に沿った、０９：０８〜０９：１２の期間内で複数回計測処理を行ったときにカウントされた人数の平均を示す。また、図７では、各棒グラフは、各集計単位時間でカウントされた人数の平均を示すが、これに替えて、各集計単位時間において計測された、最大人数、最小人数、もしくはそれらの組み合わせであってもよい。また、各集計単位時間で１回のみの計測の場合はそのままの人数が計測結果としてグラフ表示されることになる。
【００３６】
ここで、ユーザが操作部２０７を介して棒グラフ７０２を選択することに応じて、結果画像作成部１０４は、選択されている棒グラフ７０２が存在する集計時間単位の時間帯で計測されてデータベース１０９に保存された計測データのうち、最も撮像時刻が早い計測データを選択する。そして、結果画像作成部１０４は、選択した計測データに含まれる、計測人数、検知した人物の画像中の座標とサイズ、画像データを、ファイル入出力部１０６経由でデータベース１０９から取得する。結果画像作成部１０４は、計測データから画像データが取得できない場合は、画像取得部１０５から画像データ１０８を取得してもよい。続いて、結果画像作成部１０４は、取得したデータから、結果作成を行う。本実施形態では、結果画像作成部１０４は、表示部２０８に結果として表示する領域人数カウント結果画像を作成する。
【００３７】
図８（ａ）は、このようにして結果画像作成部１０４により作成された領域人数カウント結果画像８０１を示す。領域人数カウント結果画像８０１は、静止画であり、例えば、計測対象の画像データ上に、検知した人物の座標とサイズから求めた楕円８０２と、計測人数８０３を重畳した画像である。領域人数カウント結果画像８０１は、画像表示エリア３０２に表示される。なお、楕円８０２に替えて、検出した人物を指し示す他の図形であってもよい。
【００３８】
なお、図８（ａ）では、１つの棒グラフから１つの計測データに対する領域人数カウント結果画像８０１が作成され表示される例を示したが、これに限定されない。例えば、結果画像作成部１０４は、１つの棒グラフが存在する集計単位時間の時間帯で計測されてデータベースに保存された全て計測データに対応して複数の領域人数カウント結果画像を作成し、表示制御部１０７が、それらを時系列順にまたは同時に表示してもよい。また、結果画像作成部１０４は、複数の領域人数カウント結果画像８０１として、検出した複数人物を示す画像をそれぞれ作成し、表示制御部１０７が、それらを時系列順または同時に表示することも可能である（図８（ｂ））。
【００３９】
図９は、図６（ｂ）に示したグラフ設定ダイアログ６１１でのユーザの設定に応じてグラフ作成部１０３により作成され、表示制御部１０７より表示部２０８の画面に表示される通過人数カウントグラフ９０１の例である。通過人数カウントグラフ９０１において、縦軸は人数、横軸は時間を表し、ここで横軸に示す時間は、少なくとも図６（ｂ）の開始日時／終了日時設定領域６１２において設定された開始日時と終了日時間の期間を含む。棒グラフ９０２と９０３は、図６（ｂ）の集計単位設定領域６１６で設定された集計単位時間（図７の例では、集計単位時間は１０分とする）に沿った、１１：１０〜１１：２０間でカウントされたＩｎの人数とＯｕｔの人数をそれぞれ示す。
【００４０】
ここで、ユーザが操作部２０７を介して棒グラフ９０２を選択することに応じて、結果画像作成部１０４は以下のように動作する。
（１）選択した棒グラフ９０２が存在する集計単位時間の時間帯で計測されてデータベース１０９に保存された計測データのうち、最も撮像時刻が早い計測データを選択する。
（２）選択された計測データに含まれる、計測人数と、検知された人物の画像中の座標とサイズと、および画像データを、ファイル入出力部１０６経由でデータベース１０９から取得する。計測データから画像データを取得できない場合は、画像取得部１０５から画像データ１０８を取得する。
（３）取得したデータから、表示部２０８に結果として表示する通過人数カウント結果画像を作成する。図１０は、このようにして結果画像作成部１０４により作成された通過人数カウント結果画像１００１を示す。通過人数カウント結果画像１００１は、動画であり、例えば、計測対象の画像データ上に、検知した人物の座標とサイズから求めた楕円１００２、検知線１００３、正方向を示す矢印１００４、計測人数１００５を重畳した画像である。通過人数カウント結果画像１００１は、画像表示エリア３０２に再生・表示される。なお、楕円１００２に替えて、検出した人物を指し示す他の図形であってもよい。
（４）（１）に戻って棒グラフ９０２が存在する集計単位時間の時間帯の、次に早い撮像時刻の計測データを選択する。計測データが存在しなければ終了する。
【００４１】
また、上記（３）の表示形態（通過人数カウント結果画像１００１の形態）としては、以下のような形態も考えられる。
（Ａ）検知線を正方向に通過した人数（Ｉｎの人数）を表す棒グラフが選択された場合は、検知線を正方向に通過した瞬間（プラス前後の所定時間）の画像だけを、通過人数カウント結果画像１００１の少なくとも一部として作成して表示する。
（Ｂ）検知線を逆方向に通過した人数（Ｏｕｔの人数）を表す棒グラフが選択された場合は、検知線を逆方向に向に通過した瞬間（プラス前後の所定時間）の画像だけを、通過人数カウント結果画像１００１の少なくとも一部として作成して表示する。
（Ｃ）正方向と逆方向のいずれの方向の人数（Ｉｎの人数とＯｕｔの人数）を表している棒グラフが選択された場合は、方向に関わらず棒グラフが存在する時間単位の時間帯のデータの結果画像を、通過人数カウント結果画像１００１の少なくとも一部として作成し、時系列順または同時に、全て表示する。
【００４２】
このように、本実施形態によれば、計測した結果を保存し、保存した結果を後から呼び出して、特定の期間をグラフ化して表示し、表示したグラフからグラフの要素となる計測結果画像を表示することができる。ここで、計測する人数のタイプにより表示形態を変えることにより、よりユーザに解析しやすい表示を提供することができる。
【００４３】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００４４】
１０１  人数管理装置、１０２  物体検知部、１０３  グラフ作成部、１０４  結果画像作成部、１０５  画像取得部、１０６  ファイル入出力部、１０７  表示制御部、１０８  画像データ、１０９  データベース
【図１】
2018207175.tif 000003
【図２】
2018207175.tif 000004
【図３】
2018207175.tif 000005
【図４】
2018207175.tif 000006
【図５】
2018207175.tif 000007
【図６】
2018207175.tif 000008
【図７】
2018207175.tif 000009
【図８】
2018207175.tif 000010
【図９】
2018207175.tif 000011
【図１０】
2018207175.tif 000012